(57)【要約】【課題】デットスペースを小さくし、かつ確実に安定した作動を行うことができる燃焼器における防爆装置を提供する。【解決手段】防爆用開口穴１５を四角形状とし、防爆蓋１８もこの防爆用開口穴１５に合わせた四角形状として、防爆蓋１８を防爆用開口穴１５の周縁に板ばねによる付勢力で圧接させ、燃焼室内が所定圧力以上に上がったときには、板ばねによる付勢力に抗して防爆蓋１８を、押え板１９の長穴に挿通した長辺形状のガイド板２１ａ、２１ｂにより鉛直上方に向けて移動させて防爆用開口穴１５から圧力を逃がし、燃焼室内が所定圧力以下に下がった後においては、板ばねによる付勢力によって防爆蓋１８を、押え板１９の長穴に挿通したガイド板２１ａ、２１ｂによりにより鉛直下方に向けて移動させて元の位置に圧接させる。【選択図】図２
2005308256.tif 000002
【特許請求の範囲】
【請求項１】
燃焼室での燃焼に伴って発生する燃焼排ガスを該燃焼室から連通している排気路を通して排出する燃焼装置の、前記燃焼室近傍の壁面又は前記排気路近傍に設けた防爆用の開口穴に密閉自在に装着される防爆蓋を有する防爆装置であって、
前記開口穴を四角形状とし、前記防爆蓋も前記開口穴に合わせた四角形状として、前記防爆蓋を前記開口穴の周縁に付勢手段で移動自在に圧接させる、
ことを特徴とする燃焼器における防爆装置。
【請求項２】
前記防爆蓋を前記開口穴の平面に対して直角方向に向けて所定距離だけ移動させる長辺形状の移動ガイド手段を設けた、
ことを特徴とする請求項１に記載の防爆装置。
【請求項３】
前記防爆蓋を前記開口穴の平面に対して直角方向に向けて所定距離だけ移動させる複数の移動ガイド手段を設けた、
ことを特徴とする請求項１に記載の防爆装置。
【請求項４】
前記開口穴及び前記防爆蓋の形状が、正方形又は長方形である、
ことを特徴とする請求項１乃至３のいずれか１項に記載の防爆装置。
【発明の詳細な説明】
【技術分野】
【０００１】
本発明は、ＦＦ式石油暖房機や半密閉式石油暖房機等の燃焼器における防爆装置に関する。
【背景技術】
【０００２】
給排気筒を壁に通し燃焼排ガスを屋外に排気するＦＦ式暖房機（ＦＦ式石油暖房機等）などでは、燃焼室内で何等かの原因で異常燃焼等が生じると、燃焼室内の圧力が急激に上昇する場合がある。このように燃焼室内の圧力が急激に上昇した場合において、燃焼室の変形や破損等を防止するために、この異常圧力を逃がすための防爆装置を設けた暖房機（燃焼器）が従来より提案されている（例えば、特許文献１参照。）。
【０００３】
上記特許文献１のような暖房機に設けられる防爆装置は、例えば燃焼室の上面等に設けられ、通常時はばね力によって防爆用開口穴を密閉状態で塞いでいる防爆蓋が、上記したように燃焼室内の圧力が急激に上昇したときにばね力に抗して持ち上げられて、圧力の一部を逃がすようにしている。
【特許文献１】特許第２８４７４７７号公報
【発明の開示】
【発明が解決しようとする課題】
【０００４】
ところで、燃焼室内の圧力が急激に上昇したときに防爆蓋が開いて圧力を逃がすような動作が行なわれた後に、防爆蓋を元の防爆用開口穴の位置に戻すときの正確な位置決めが容易に行なえるように、従来、防爆用開口穴及び防爆蓋は円形状に形成されている。
【０００５】
また、暖房機（燃焼器）の防爆用開口穴及び防爆蓋が設けられる場所付近の形状は角張っていることが多く、このような場所に円形状の防爆用開口穴及び防爆蓋を設けると、その周囲に無駄なスペース（デットスペース）が多くなり、暖房機（燃焼器）の小型化や薄型化に支障をきたす場合ある。
【０００６】
そこで本発明は、防爆用開口穴及び防爆蓋の周囲のデットスペースを小さくし、かつ燃焼室内の圧力が急激に上昇したときに防爆蓋が開いて圧力を逃がす動作が行なわれた後に、防爆蓋を元の防爆用開口穴の位置に戻すときの正確な位置決めを容易に行なうことができる燃焼器における防爆装置を提供することを目的とする。
【課題を解決するための手段】
【０００７】
上記目的を達成するために本発明は、燃焼室での燃焼に伴って発生する燃焼排ガスを該燃焼室から連通している排気路を通して排出する燃焼装置の、前記燃焼室近傍の壁面又は前記排気路近傍に設けた防爆用の開口穴に密閉自在に装着される防爆蓋を有する防爆装置であって、前記開口穴を四角形状とし、前記防爆蓋も前記開口穴に合わせた四角形状として、前記防爆蓋を前記開口穴の周縁に付勢手段で移動自在に圧接させることを特徴としている。
【０００８】
また、前記防爆蓋を前記開口穴の平面に対して直角方向に向けて所定距離だけ移動させる長辺形状の移動ガイド手段を設けたことを特徴としている。
【０００９】
また、前記防爆蓋を前記開口穴の平面に対して直角方向に向けて所定距離だけ移動させる複数の移動ガイド手段を設けたことを特徴としている。
【００１０】
また、前記開口穴及び前記防爆蓋の形状が、正方形又は長方形であることを特徴としている。
【発明の効果】
【００１１】
本発明によれば、防爆用の開口穴を四角形状とし、この開口穴を密閉自在に塞ぐ防爆蓋も該開口穴に合わせて四角形状としたことにより、この四角形状の開口穴に外接する大きさの円形状の開口穴に円形状の防爆蓋を装着する従来の場合に比べてデットスペースを小さくすることができる。
【００１２】
また、燃焼室内が燃焼時に所定圧力以上に上昇したときには、付勢手段による付勢力に抗して防爆蓋を移動ガイド手段により防爆用の開口穴の平面に対して直角前方に向けて移動させて開口穴から圧力を逃がし、燃焼室内が所定圧力以下に下がった後においては、付勢手段による付勢力によって防爆蓋を長辺形状又は複数の移動ガイド手段により開口穴の平面に対して、防爆蓋が水平方向や回転方向に移動することなく直角後方に向けて移動させて元の位置に圧接させることができるので、燃焼室内の圧力が急激に上昇したときに防爆蓋が開いて圧力を逃がす動作が行なわれた後に、防爆蓋を元の防爆用開口穴の位置に戻すときの正確な位置決めを容易に行なうことができる。
【発明を実施するための最良の形態】
【００１３】
以下、本発明を図示の実施形態に基づいて説明する。
【００１４】
図１は、本発明の実施形態に係る防爆装置を備えた燃焼器の一例としての暖房機を示す概略断面図である。本実施形態に係る薄型で横長の暖房機１は、装置本体２の右側下部にバーナ部３を有し、その上部に燃焼室４が設けられている。バーナ部３の左側下部には燃料供給管５を介して定液面器６が接続されており、電磁ポンプ７の駆動によって定液面器６内の液体燃料としての灯油８が燃料供給管５を通してバーナ部３に供給される。また、バーナ部３の下部には、空気供給路９を通してバーナ部３に空気を供給するファン（不図示）が接続されている。
【００１５】
燃焼室４の上面には、燃焼排ガスを室外に排出するための排気口１０が形成されており、排気口１０には排ガス通路１１を介して排気筒１２が接続されている。排ガス通路１１は、装置本体２の上部に取付けられた上蓋１３とその下部に沿って設けた排ガス通路板１４によって形成されている。
【００１６】
上蓋１３には、図１、図２に示すように、排気口１０の上方に位置するようにして正方形状の防爆用開口穴１５が形成されており、その外周縁部に形成した凹部には、耐熱性のシール用パッキン１６が取付けられている。上蓋１３は、暖房機１の形状に合わせて奥行（図２の上下）が小さく横（図２の左右）に長い長方形状をしている。なお、上蓋１３の各角部はアール状に形成されている。上蓋１３の防爆用開口穴１５の上面側には、防爆装置１７が設置されている（本発明の特徴である防爆装置１７の詳細については後述する）。
【００１７】
上記した暖房機１では、電磁ポンプ７を駆動して定液面器６内の灯油８を燃料供給管５を通してバーナ部３に供給するとともに、ファン（不図示）を駆動して空気を空気供給路９を通してバーナ部３に供給し、点火装置（不図示）による点火によってバーナ部３に着火することにより燃焼室４内で燃焼が開始され、暖房運転が開始される。燃焼室４内での燃焼に伴って発生する燃焼排ガスは、排気口１０、排ガス通路１１、排気筒１２を介して室外に排出される。
【００１８】
次に、本発明の実施形態に係る防爆装置１７について説明する。
【００１９】
防爆装置１７は、図３に示すように、四角形状の防爆用開口穴１５を密閉状態で塞ぐ四角形状の防爆蓋１８と、防爆蓋１８の上面を跨ぐようにして上蓋１３にビス止めで固着された押え板１９と、押え板１９の裏面に一端側が固着され他端側で防爆蓋１８の上面を押圧するように設置した板ばね２０とを有している。
【００２０】
防爆蓋１８は、防爆用開口穴１５の周囲の開口穴突起部１５ａの上面と少し隙間を設けて防爆用開口穴１５を覆っている蓋部１８ａと、開口穴突起部１５ａの周囲を隙間を設けて囲むようにして蓋部１８ａの外周縁部に形成された支持部１８ｂを有しており、支持部１８ｂの下面は、開口穴突起部１５ａの外側周囲に設けた弾性を有するシール用パッキン１６上に板ばね２０の付勢力で圧接している。蓋部１８ａの上面には、図４に示すように、薄板状の長辺形状の２つのガイド板２１ａ、２１ｂが並設されており、ガイド板２１ａ、２１ｂは、図５に示す押え板１９に形成した２つの長辺形状の長穴１９ａ、１９ｂに移動自在に挿通される。押え板１９の長穴１９ａ、１９ｂの間に位置する裏面には、図５、図６に示すように、板ばね２０の一端側が固着されており、板ばね２０の他端側は蓋部１８ａの上面に圧接して防爆蓋１８を押さえる。
【００２１】
ところで、上記暖房運転時に燃焼室４内で何等かの原因で異常燃焼等が生じると、燃焼室４内の圧力が急激に上昇する場合がある。このように燃焼室４内の圧力が急激に上昇した場合において、燃焼室４の変形や破損等を防止するために、この異常圧力を逃がすために上記した防爆装置１７が作動する。
【００２２】
即ち、異常燃焼等が生じて燃焼室４内の圧力が急激に上昇すると、排気口１０の上方に設けた防爆装置１７の防爆蓋１８は、板ばね２０のばね力に抗して上方に持ち上げられる。この際、ガイド板２１ａ、２１ｂが押え板１９の長穴１９ａ、１９ｂで案内されて鉛直上方に移動することにより、防爆蓋１８も水平方向や回転方向に移動することなく、鉛直上方に移動する。防爆蓋１８は、その上方に設置されている板ばね２０と押え板１９によって上方への移動量が制限されて、数ミリ程度だけ鉛直上方に移動する。
【００２３】
防爆蓋１８が鉛直上方に数ミリ程度だけ持ち上げられることにより、図７に示すように、防爆蓋１８の蓋部１８ａと開口穴突起部１５ａの上面との間、及び防爆蓋１８の支持部１８ｂとシール用パッキン１６との間に隙間がそれぞれ生じ、これらの隙間を通って上記圧力の一部が上蓋１３の外に逃がされる。これにより、燃焼室４の変形や破損等が防止される。
【００２４】
そして、燃焼室４内の異常圧力が防爆蓋１８の開放によって逃がされた後、防爆蓋１８は板ばね２０によるばね力で下げられる。この際、ガイド板２１ａ、２１ｂが押え板１９の長穴１９ａ、１９ｂで案内されて鉛直下方に移動することにより、防爆蓋１８も水平方向や回転方向に移動することなく、鉛直下方に移動して元の位置に戻り、防爆用開口穴１５の周囲の開口穴突起部１５ａを確実に密閉する。
【００２５】
このように、本発明では防爆用開口穴１５を四角形状とし、この防爆用開口穴１５を密閉自在に塞ぐ防爆蓋１８も該防爆用開口穴１５に合わせて四角形状としたことにより、この四角形状の防爆用開口穴１５に外接する大きさの円形状の開口穴に円形状の防爆蓋を装着する従来の場合に比べてデットスペースを小さくすることができる。
【００２６】
また、上記した実施形態の暖房機１の開口穴１５や防爆蓋１８の角部は角張っていたが、これらの角部をアール形状に形成してもよい。角部をアール形状とすることにより加工がしやすくなる。
【００２７】
なお、上記した実施形態では、給気は室内から取入れ、排気のみを排気筒を通して室外に排出する方式の暖房機に備えた防爆装置について説明したが、燃焼器としての暖房機としてはこれに限らず、給排気を室外から行う方式等の暖房機についても同様に本発明を適用することができる。
【図面の簡単な説明】
【００２８】
【図１】本発明の実施形態に係る防爆装置を備えた暖房機を示す概略断面図。
【図２】本発明の実施形態に係る防爆装置を備えた暖房機を示す概略平面図。
【図３】図２のＡ−Ａ線断面図。
【図４】本発明の実施形態に係る防爆装置の防爆蓋を示す斜視図。
【図５】本発明の実施形態に係る防爆装置の押え板を示す平面図。
【図６】本発明の実施形態に係る防爆装置の押え板を示す正面図。
【図７】本発明の実施形態に係る防爆装置の防爆蓋が持ち上げられた状態を示す概略断面図。
【符号の説明】
【００２９】
１        暖房機
２        装置本体
３        バーナ部
４        燃焼室
６        定液面器
１２      排気筒
１３      上蓋
１５      防爆用開口穴
１７      防爆装置
１８      防爆蓋
１９      押え板
２０      板ばね
【図１】
2005308256.tif 000003
【図２】
2005308256.tif 000004
【図３】
2005308256.tif 000005
【図４】
2005308256.tif 000006
【図５】
2005308256.tif 000007
【図６】
2005308256.tif 000008
【図７】
2005308256.tif 000009